(57)【要約】【課題】目標側が、伝送された情報に基づいて副サービスセルを有効的に選択することができ、時間遅延が減少される、切替情報の通知方法及び基地局を提供する。【解決手段】この方法は、ソース基地局が、端末について、目標基地局に属する目標主サービスセルに切り替えるステップと、ソース基地局が、目標主サービスセルの信号品質を、目標基地局へ通知するステップと、を含む。【選択図】図４
2013541286.tif 000002
【特許請求の範囲】
【請求項１】
ソース基地局が、端末について、目標基地局に属する目標主サービスセルに切り替えるステップと、
前記ソース基地局が、前記目標主サービスセルの信号品質を、前記目標基地局へ通知するステップと、
を含むことを特徴とする切替情報の通知方法。
【請求項２】
前記ソース基地局が前記目標主サービスセルの信号品質を前記目標基地局へ通知するステップは、
前記ソース基地局が、前記目標主サービスセルの信号品質を最適セルリストに載せて前記目標基地局へ送信するステップ、または、
前記ソース基地局が、前記目標サービスセルの信号品質を前記最適セルリスト以外の所定のセルに載せて前記目標基地局へ送信するステップ、を含む
ことを特徴とする請求項１に記載の切替情報の通知方法。
【請求項３】
前記信号品質は、基準信号受信電力ＲＳＲＰおよび基準信号受信品質ＲＳＲＱの少なくとも１つを含む
ことを特徴とする請求項１または２に記載の切替情報の通知方法。
【請求項４】
前記ソース基地局が前記目標主サービスセルの信号品質を前記目標基地局へ通知する前に、
前記ソース基地局と前記目標基地局とが、最適セルリストを伝送するか否かを協議すること、または、前記ソース基地局が、現在切り替えられようとしている端末が搬送波集合をサポートするか、若しくは前記現在切り替えられようとしている端末が動作するセルが１つしかないか否かに基づいて、最適セルリストを伝送することを決定するステップと、
最適セルリストを伝送する場合には、後続処理を続行し、伝送しない場合には、処理を終了するステップと、
をさらに含むことを特徴とする請求項１に記載の切替情報の通知方法。
【請求項５】
ソース基地局が、ＲＳＲＰおよびＲＳＲＱのいずれかを含む所定の信号品質に基づいて、最適セルリストのセルを順序付けるステップと、
前記ソース基地局が、前記最適セルリストを目標基地局へ通知するステップと、
を含むことを特徴とする切替情報の通知方法。
【請求項６】
前記最適セルリストにおけるセルは、
前記候補となる副サービスセルの所定の信号品質
≧  （前記ソース基地局により決定された目標主サービスセルの所定の信号品質−所定のオフセット）
を含む所定の条件を満たすものである
ことを特徴とする請求項５に記載の切替情報の通知方法。
【請求項７】
前記ソース基地局により決定された目標主サービスセルが複数である場合には、
前記所定の条件は、
前記候補となる副サービスセルの所定の信号品質
≧  （所定の目標主サービスセルの所定の信号品質−所定のオフセット）を含み、
前記所定の目標主サービスセルは、
前記複数の目標主サービスセルのうち、所定の信号品質が一番良い目標主サービスセル、および所定の信号品質が一番悪い目標主サービスセル、のいずれかの目標主サービスセルの１つを含む
ことを特徴とする請求項６に記載の切替情報の通知方法。
【請求項８】
前記最適セルリストの配置情報は、
プロトコルにより指定されるか、または前記ソース基地局と前記目標基地局とが協議して決定されて、
前記配置情報は、
所定のオフセット、所定の信号品質、前記最適セルリストに含まれるセルの最大数、の少なくとも１つを含む
ことを特徴とする請求項５または６に記載の切替情報の通知方法。
【請求項９】
前記ソース基地局と前記目標基地局が、前記配置情報を協議するステップは、
Ｓ１インターフェースまたはＸ２インターフェースのセットアップにおいて、
前記ソース基地局および前記目標基地局のうちの一方が、セットアップ要求に自己の配置情報を載せて、他方へ送信するステップと、
前記他方が、セットアップ応答に、自己の配置情報が載せて、返信するステップと、
を含むことを特徴とする請求項８に記載の切替情報の通知方法。
【請求項１０】
前記ソース基地局と前記目標基地局が前記配置情報を協議するステップは、
前記ソース基地局および前記目標基地局のうちの一方が、モビリティパラメータ変更要求メッセージにより、前記配置情報を他方へ通知するステップと、
前記他方が、
前記配置情報に同意する場合には、同意を示す情報を載せた情報を、若しくはモビリティパラメータ変更応答メッセージになんらの情報も載せないものを、返信し、
前記配置情報に同意しない場合には、モビリティパラメータ変更応答メッセージに自己の配置情報を載せたものを、若しくはモビリティパラメータ変更失敗メッセージを、返信するステップと、
を含むことを特徴とする請求項８に記載の切替情報の通知方法。
【請求項１１】
前記ソース基地局が所定の信号品質に基づいて最適セルリストのセルを順序付ける前に、
前記ソース基地局と前記目標基地局とが、最適セルリストを伝送するか否かを協議すること、または前記ソース基地局が、現在切り替えられようとしている端末が搬送波集合をサポートするか、若しくは前記現在切り替えられようとしている端末が動作するセルが１つしかないかに基づいて、最適セルリストを伝送するか否かを決定するステップと、
最適セルリストを伝送する場合には、後続処理を続行し、伝送しない場合には、処理を終了するステップと、
をさらに含むことを特徴とする請求項５に記載の切替情報の通知方法。
【請求項１２】
一つの周波数の最適セルに前記所定の信号品質の測定結果がない場合には、
前記最適セルの最適セルリストへの追加を取り消すこと、または、
前記最適セルを前記最適セルリストの最後に追加すること
を特徴とする請求項５に記載の切替情報の通知方法。
【請求項１３】
端末について、目標基地局に属する目標主サービスセルに切り替えることを決定するように配置された切替判定モジュールと、
前記目標主サービスセルの信号品質を、前記目標基地局に通知するように配置された通知モジュールと、
を備えることを特徴とする基地局。
【請求項１４】
ＲＳＲＰおよびＲＳＲＱのいずれかを含む所定の信号品質に基づいて、最適セルリストのセルを順序付けるように配置された順序付けモジュールと、
前記最適セルリストを目標基地局へ通知するように配置された通知モジュールと、
を備えることを特徴とする基地局。
【発明の詳細な説明】
【技術分野】
【０００１】
本発明は、通信分野に係り、特に切替情報の通知方法及び基地局に関するものである。
【背景技術】
【０００２】
移動通信システムにおいて、サービスの品質を確保してユーザに良いサービス体験を提供するために、ユーザ装置（Ｕｓｅｒ  Ｅｑｕｉｐｍｅｎｔ、「ＵＥ」と略称）は、モビリティ要求を満たすように、あるセルにネットワークに接続された後でも、サービスセルと隣接セルの信号品質を測定して、適切なセルを選択して切り替える必要がある。
【０００３】
図１は、関連技術に係るＸ２インターフェースによる切替過程を示す図である。
図１に示すように、ＬＴＥ（Ｌｏｎｇ  Ｔｅｒｍ  Ｅｖｏｌｕｔｉｏｎ）システムにおいて、Ｘ２インターフェースの切替過程は、
ソース基地局が、接続状態にあるＵＥへ測定制御を送信するステップ１０１と、
ＵＥが、測定を行い、測定報告を報告するステップ１０２と、
ソース基地局が、受信した測定報告を基に実際の状況に応じて切替を決定し、目標セルを選択するステップ１０３と、
ソース基地局が、切替要求メッセージに、ＵＥの能力情報、アプリケーションサーバ（Ａｐｐｌｉｃａｔｉｏｎ  Ｓｅｒｖｅｒ、「ＡＳ」と略称）層配置情報、無線リソース管理（Ｒａｄｉｏ  Ｒｅｓｏｕｒｃｅ  Ｍａｎａｇｅｍｅｎｔ、「ＲＲＭ」と略称）配置情報、コンテキスト情報を載せて、目標セルの属する目標基地局へ送信するステップ１０４と、
目標基地局が、リソース予約（ｒｅｓｏｕｒｃｅ  ｒｅｓｅｒｖａｔｉｏｎ）などの処理を行い、切替要求応答メッセージに、目標セル（当該目標セルが切替要求メッセージの目標セルと異なってもよい）の情報を含むＵＥに対する切替コマンドメッセージを載せ、ソース基地局へ応答するステップ１０５と、
ソース基地局が、切替コマンド（すなわち、ＲＲＣ再配置（Ｒｅｃｏｎｆｉｇｕｒａｔｉｏｎ））を、ＵＥへ送信するステップ１０６と、
ＵＥが、目標セルにランダムアクセス（ｒａｎｄｏｍ  ａｃｃｅｓｓ）を行い、それが完了すると、切替完了コマンドを目標基地局へ送信するステップ１０７と、
を含む。
【０００４】
Ｓ１インターフェースの切替過程は、前記Ｘ２インターフェースの切替過程と類似しているが、切替過程での送受信メッセージは、ＭＭＥにより転送される。
【０００５】
前記ソース基地局による切替決定は、主に測定結果に基づいて行われる。
ＬＴＥシステムにおける接続状態での測定は、具体的には、ネットワーク側が、測定識別子（Ｍｅａｓｕｒｅｍｅｎｔ  Ｉｄｅｎｔｉｆｉｃａｔｉｏｎ、「ＭＩＤ」と略称）、測定対象（Ｍｅａｓｕｒｅｍｅｎｔ  Ｏｂｊｅｃｔ、「ＭＯ」と略称）、報告配置（Ｒｅｐｏｒｔ  Ｃｏｎｆｉｇｕｒａｔｉｏｎ、「ＲＣ」と略称）、測定される他の関連属性が含まれる測定制御情報を、ＵＥへ送信することにより行われる。
測定識別子は、測定対象と報告配置を関連付けて完全な測定タスクを形成するものである。
測定対象には、測定対象の属性（例えば、搬送周波数、隣接セルリストなど）が含まれ、搬送周波数毎に１つの測定対象のみが配置される。
報告配置には、報告配置の属性（例えば、イベントトリガリング又は周期的報告、トリガリングされるイベントの定義（Ａ１、Ａ２…）、報告回数など）が含まれる。
【０００６】
ＵＥは、測定制御メッセージの測定対象、報告配置に基づいて測定と評価とを行い、測定結果に基づいて測定報告を生成し、ネットワーク側へ報告する。
ネットワーク側は、ＵＥにより報告された測定報告に基づいて切替判定を行う。
ＬＴＥでは、基地局同士（以下、「基地局１」と「基地局２」という）は、一部の重要なモビリティパラメータについて協議することができる。
図２は、関連技術に係る、モビリティパラメータ協議過程を示す図である。
具体的には、
基地局１が、モビリティパラメータ変更要求メッセージ（ＭＯＢＩＬＩＴＹ  ＣＨＡＮＧＥ  ＲＥＱＵＥＳＴ）を基地局２へ送信し、
基地局２が、この変更を受け入れると、モビリティパラメータ変更応答メッセージ（ＭＯＢＩＬＩＴＹ  ＣＨＡＮＧＥ  ＡＣＫＮＯＷＬＥＤＧＥ）を基地局１へ返信する
ことにより実現される。
【０００７】
図３は、関連技術に係る、基地局間でのＸ２インターフェースのセットアップ過程を示す図である。
図３に示すように、基地局１は、Ｘ２  ＳＥＴＵＰ  ＲＥＱＵＥＳＴ（Ｘ２セットアップ要求メッセージ）を基地局２へ送信する。
基地局２は、Ｘ２  ＳＥＴＵＰ  ＲＥＳＰＯＮＳＥ（Ｘ２セットアップ応答メッセージ）を基地局１へ応答する。
【０００８】
移動体ユーザに対してより高速なデータレートを提供するために、ＬＴＥ−Ａ（Ｌｏｎｇ  Ｔｅｒｍ  Ｅｖｏｌｕｔｉｏｎ  Ａｄｖａｎｃｅ）システムでは、対応する能力を有するＵＥに対してより広い帯域幅を提供してＵＥのピークレートを向上させることを目的とする搬送波集合技術（Ｃａｒｒｉｅｒ  Ａｇｇｒｅｇａｔｉｏｎ、「ＣＡ」と略称）が提案されている。
ＬＴＥでは、システムがサポート可能な最大下りリンク送信帯域幅は２０ＭＨｚである。
搬送波集合技術では、２以上の搬送波成分（Ｃｏｍｐｏｎｅｎｔ  Ｃａｒｒｉｅｒｓ、「ＣＣ」と略称）を集合することにより、２０ＭＨｚより大きく、１００ＭＨｚ以下の送信帯域幅をサポートする。
搬送波集合能力を有するＬＴＥ−ＡのＵＥは、複数の搬送波成分において同時にデータ送信を行うことができる。
以下のＵＥは、特に説明がない限り、このようなＵＥである。
ＬＴＥ−Ａシステムにおいて、ＵＥは、接続状態にあると、複数の搬送波成分（例えばＣＣ１、ＣＣ２）を同時に用いて、ソース基地局と通信可能である。
基地局は、明示的な配置（ｅｘｐｌｉｃｉｔ  ｃｏｎｆｉｇｕｒａｔｉｏｎ）またはプロトコルでの約束事項により、主搬送波成分（Ｐｒｉｍａｒｙ  Ｃｏｍｐｏｎｅｎｔ  Ｃａｒｒｉｅｒ、「ＰＣＣ」と略称）をＵＥに指定する。
他の搬送波成分は、副搬送波成分（Ｓｅｃｏｎｄａｒｙ  Ｃｏｍｐｏｎｅｎｔ  Ｃａｒｒｉｅｒ、「ＳＣＣ」と略称）という。
ＤＬ  ＰＣＣによるサービスセルは、主サービスセル（Ｐｒｉｍａｒｙ  Ｃｅｌｌ、「Ｐｃｅｌｌ」と略称）という。
ＤＬ  ＳＣＣによるサービスセルは、副サービスセル（Ｓｅｃｏｎｄａｒｙ  Ｃｅｌｌ、「Ｓｃｅｌｌ」と略称）という。
【０００９】
ＬＴＥ−Ａでの切替過程は、ＬＴＥでの切替過程と同様である。
ソース基地局は、接続状態にあるＵＥへ、測定制御を送信する。
ＵＥは、測定を行い、測定報告を報告する。
ソース基地局は、受信した測定報告を基に実際の状況に応じた切替を決定し、目標主サービスセルを選択し、切替要求メッセージに、ＵＥの能力情報、ＡＳ層配置情報、ＲＲＭ配置情報、コンテキスト情報を載せて、目標主サービスセルが属する目標基地局へ送信する。
目標基地局は、リソース予約などの処理を行い、切替要求応答メッセージに、目標主サービスセル（当該目標主サービスセルが切替要求メッセージの目標主サービスセルと異なってもよい）の情報が含まれる（１または複数の副サービスセルが含まれてもよい）ＵＥへの切替コマンドメッセージを載せて、ソース基地局へ応答する。
ＵＥは、ソース基地局から切替コマンド（即ち、ＲＲＣ再配置）を受信し、目標主サービスセルにランダムアクセスを実行し、完了すると、切替完了コマンドを目標基地局へ送信する。
【００１０】
目標基地局と協力して１または複数の副サービスセルを配置するために、ソース基地局が目標基地局へ送信する切替要求メッセージには、最適セルリストがさらに含まれ、これらのセルの信号品質（例えば、基準信号受信電力（Ｒｅｆｅｒｅｎｃｅ  Ｓｉｇｎａｌ  Ｒｅｃｅｉｖｅｄ  Ｐｏｗｅｒ、「ＲＳＲＰ」と略称）と基準信号受信品質（Ｒｅｆｅｒｅｎｃｅ  Ｓｉｇｎａｌ  Ｒｅｃｅｉｖｅｄ  Ｑｕａｌｉｔｙ、「ＲＳＲＱ」と略称））とが含まれる。
リストにおけるセルは、非サービスセルであり、無線信号の品質が良い順に配列される（すなわち、最良のものが最上位にある）。
ソース基地局は、周波数毎に、利用可能な測定報告から少なくとも１つの最適セルを選択し、当該最適セルリストを構成する。
目標基地局は、前記リストに基づいてＵＥにＳｃｅｌｌを配置することができる。勿論、配置されるＳｃｅｌｌは、前記リストのセルではなくてもよい。
【００１１】
このように、関連技術においては、ソース基地局は、セル切替の決定を行った後、候補となる副サービスセルの信号品質を最適セルリストにより目標基地局へ伝送する。
これにより、目標基地局による副サービスセルの選択の根拠を提供する。
しかしながら、このような従来の処理方式では、目標基地局は、ソース基地局により報知された候補となる副サービスセルの信号品質のみを把握することができる。或いは、得られた最適セルリストのセルの構成が雑然としている。
この結果、副サービスセルの判定の精度が影響され、目標基地局の処理が複雑となる。
【発明の概要】
【発明が解決しようとする課題】
【００１２】
本発明は、少なくとも上述した課題を解決するために、切替情報の通知方法および基地局を提供することを主な目的とする。
【課題を解決するための手段】
【００１３】
本発明の一つの態様によれば、
ソース基地局が、端末について、目標基地局に属する目標主サービスセルに切り替えるステップと、
ソース基地局が、目標主サービスセルの信号品質を目標基地局へ通知するステップと、を含む、
切替情報の通知方法が提供される。
【００１４】
ソース基地局が、目標主サービスセルの信号品質を目標基地局に通知するステップは、
ソース基地局が、目標主サービスセルの信号品質を最適セルリストに載せて目標基地局へ送信するステップ、または、
ソース基地局が、目標サービスセルの信号品質を最適セルリスト以外の所定のセルに載せて目標基地局へ送信するステップ、を含む。
【００１５】
信号品質には、ＲＳＲＰおよびＲＳＲＱの少なくとも１つが含まれる。
【００１６】
ソース基地局が、目標主サービスセルの信号品質を目標基地局へ通知する前に、
ソース基地局と目標基地局とが、最適セルリストを伝送するか否かを協議すること、または、ソース基地局が、現在切り替えられようとしている端末が搬送波集合をサポートするか否か、若しくは現在切り替えられようとしている端末が動作するセルが１つしかないか否かに基づいて、最適セルリストを伝送することを決定するステップと、
最適セルリストを伝送する場合に、後続処理を続行し、伝送しない場合に、処理を終了するステップと、をさらに含む。
【００１７】
本発明の他の一つの態様によれば、
ソース基地局が、ＲＳＲＰおよびＲＳＲＱのいずれかを含む所定の信号品質に基づいて最適セルリストのセルを順序付けるステップと、
ソース基地局が、最適セルリストを目標基地局へ通知するステップと、を含む、
切替情報の通知方法が提供される。
【００１８】
最適セルリストにおけるセルは、
候補となる副サービスセルの所定の信号品質
≧  （ソース基地局により決定された目標主サービスセルの所定の信号品質−所定のオフセット）を含む、所定の条件を満たすものである。
【００１９】
ソース基地局により決定された目標主サービスセルが複数である場合に、
所定の条件は、
候補となる副サービスセルの所定の信号品質
≧  （所定の目標主サービスセルの所定の信号品質−所定のオフセット）を含み、
所定の目標主サービスセルは、
複数の目標主サービスセルのうち、所定の信号品質が一番良い目標主サービスセル、および所定の信号品質が一番悪い目標主サービスセル、のいずれかの目標主サービスセルの１つを含む。
【００２０】
最適セルリストの配置情報は、
プロトコルにより指定されるか、またはソース基地局と目標基地局とが協議して決定され、
配置情報は、
所定のオフセット、所定の信号品質、最適セルリストに含まれるセルの最大数、の少なくとも１つを含む。
【００２１】
ソース基地局と目標基地局とが配置情報を協議するステップは、
Ｓ１インターフェースまたはＸ２インターフェースのセットアップ処理において、
ソース基地局および目標基地局のうちの一方が、セットアップ要求に、自己の配置情報を載せて、他方へ送信するステップと、
他方が、セットアップ応答に、自己の配置情報を載せて、返信するステップと、を含む。
【００２２】
ソース基地局と目標基地局とが配置情報を協議するステップは、
ソース基地局および目標基地局のうちの一方が、モビリティパラメータ変更要求メッセージにより、配置情報を他方へ通知するステップと、
他方が、
配置情報に同意する場合には、同意を示す情報を載せた情報を、若しくはモビリティパラメータ変更応答メッセージになんらの情報も載せないものを、返信し、
配置情報に同意しない場合には、モビリティパラメータ変更応答メッセージに自己の配置情報を載せたもの、若しくはモビリティパラメータ変更失敗メッセージを、返信するステップと、
を含む。
【００２３】
ソース基地局が所定の信号品質に基づいて最適セルリストのセルを順序付ける前に、
ソース基地局と目標基地局とが、最適セルリストを伝送するか否かを協議すること、または、ソース基地局が、現在切り替えられようとしている端末が搬送波集合をサポートするか、若しくは現在切り替えられようとしている端末が動作するセルが１つしかないかに基づいて、最適セルリストを伝送するか否かを決定するステップと、
最適セルリストを伝送する場合に、後続処理を続行し、伝送しない場合には、処理を終了するステップと、をさらに含む。
【００２４】
一つの周波数の最適セルに所定の信号品質の測定結果がない場合には、
最適セルの最適セルリストへの追加を取り消すこと、または、
最適セルを最適セルリストの最後に追加する。
【００２５】
本発明の他の態様によれば、
端末について、目標基地局に属する目標主サービスセルに切り替えることを決定するように配置された切替判定モジュールと、
目標主サービスセルの信号品質を、目標基地局へ通知するように配置された通知モジュールと、を備える、
基地局が提供される。
【００２６】
本発明の他の態様によれば、
ＲＳＲＰおよびＲＳＲＱのいずれかを含む所定の信号品質に基づいて、最適セルリストのセルを順序付けるように配置された順序付けモジュールと、
最適セルリストを目標基地局へ通知するように配置された通知モジュールと、を備える、
基地局が提供される。
【発明の効果】
【００２７】
本発明によれば、
ソース基地局が、目標主サービスセルのサービス品質を目標基地局へ通知すること、または、ソース基地局が、所定のオフセット条件を満たす候補となる副サービスセルを目標基地局へ通知することを採用しているので、
目標基地局が把握した切替情報の不足または構成の雑然さにより副サービスセルを正確に判定できず、目標基地局の処理が複雑になるといった関連技術の課題を解決でき、
目標側が、伝送された情報に基づいて副サービスセルを有効的に選択することができ、
時間遅延が減少される。
【００２８】
ここで説明する図面は、本発明を理解させるためのものであり、本発明の一部を構成し、本発明における実施例と共に本発明を解釈するためのものであって、本発明を不当に限定するものではない。
【図面の簡単な説明】
【００２９】
【図１】図１は、関連技術に係る、Ｘ２インターフェースによる切替過程を示す図である。
【図２】図２は、関連技術に係る、モビリティパラメータ協議過程を示す図である。
【図３】図３は、関連技術に係る、基地局間でのＸ２インターフェースのセットアップ過程を示す図である。
【図４】図４は、本発明の実施例に係る切替情報の通知方法の一つの流れ図である。
【図５】図５は、本発明の実施例に係る基地局の一つの構成を示すブロック図である。
【図６】図６は、実施例１および２に係る切替の様子を示す図である。
【図７】図７は、本発明の実施例に係る他の切替情報の通知方法の流れ図である。
【図８】図８は、本発明の実施例に係る他の基地局の構成を示すブロック図である。
【発明を実施するための形態】
【００３０】
以下、図面と実施例を参照しながら、本発明を詳しく説明する。特に説明するのは、互いに矛盾しない限り、本案における実施例及び実施例における特徴を相互に組み合わせてもよい。
【００３１】
本実施例によれば、切替情報の通知方法が提供される。
図４は、本発明の実施例に係る切替情報の通知方法の一つの流れ図である。
この方法は、
ソース基地局が、端末について、目標基地局に属する目標主サービスセルに切り替えることを決定するステップＳ４０２と、
ソース基地局が、目標主サービスセルの信号品質を、目標基地局へ通知するステップＳ４０４と、を含む。
【００３２】
信号品質の近い搬送波を「集合」する場合に最も優れた効果となることから、切替の時間遅延を少なくするために前記の方法が提案される。
当該方法において、ソース基地局が、切り替えられる目標主サービスセルの信号品質についても目標基地局へ通知することにより、目標基地局は、目標主サービスセルの信号品質を取得することができ、目標主サービスセルと候補となる副サービスセルとの品質の違いを比較することで最終的に副サービスセルを決定することができる。
これにより、副サービスセルの品質と目標主サービスセルの信号品質との差が、予め設定された範囲に確保され、副サービスセルの選択精度が向上し、切替の時間遅延が少なくなる。
【００３３】
ソース基地局が目標主サービスセルの信号品質を目標基地局に通知する方式として、
（１）  ソース基地局が、最適セルリストに、目標主サービスセルの信号品質を載せて、目標基地局へ送信することと、
（２）  ソース基地局が、最適セルリスト以外の予め設定されたセル（cell）に、目標主サービスセルの信号品質を載せて、目標基地局へ送信することと、のいずれかが用いられる。
【００３４】
前記報告された信号品質は、ＲＳＲＰおよびＲＳＲＱの少なくとも１つを含むことができることが好ましい。
【００３５】
なお、主サービスセルが複数の場合には、各主サービスセルの信号品質を伝送してもよい。
【００３６】
ソース基地局が目標主サービスセルの信号品質を目標基地局へ通知する前に、
ソース基地局と目標基地局とが、最適セルリストを伝送するか否かを協議するか、または、ソース基地局が、現在切り替えられようとしている端末が搬送波集合をサポートするか、若しくは現在切り替えられようとしいる端末が動作しているセルが１つしかないかに基づいて、最適セルリストを伝送するかを決定することと、
最適セルリストを伝送する場合には、後続処理を続行し、伝送しない場合には、処理を終了することを、さらに含むことができることが好ましい。
【００３７】
最適セルリストを伝送しない場合には、目標基地局は、主サービスセルの信号品質を取得して適切な副サービスセルを決定する必要がない。以上の過程により、最適セルリストを伝送するか否かに基づいて、目標主サービスセルの信号品質を通知するかを決定することができる。
【００３８】
図５は、本発明の実施例に係る基地局の構成を示すブロック図である。
この基地局は、
端末について、目標基地局に属する目標主サービスセルに切り替えることを決定するように配置された切替判定モジュール５２と、
切替判定モジュール５２に接続され、目標主サービスセルの信号品質を目標基地局に通知するように配置された通知モジュール５４と、を備える。
【００３９】
以下に説明する実施例１は、上述した複数の好適な実施例の技術的思想を組み合わせたものである。
以下の実施例では、Ｘ２インターフェースの切替の様子を例として説明する。
Ｓ１インターフェースの切替の様子は、これと類似しているため、説明を省略する。
【００４０】
図６に示すように、まず、基地局１と基地局２とは、切替準備コマンドにより最適セルリストを伝送する必要があることを、協議により決定する。
基地局１は、以下の通り協議を提起する（基地局２が提起する場合は、これと類似しているため、説明を省略する）。
基地局１は、基地局１へ送信される切替準備コマンドに最適セルリストを載せてもらう必要がある場合、この情報を、新たに追加した最適セルリスト要求を載せるメッセージにより、基地局２へ送信する。基地局２は、これを受信すると、同意する場合には、新たに追加した最適セルリストを載せた応答メッセージを、基地局１へ送信する。同意しない場合は、新たに追加した最適セルリストを載せた拒絶メッセージを、基地局１へ送信する。
或いは、基地局１は、Ｘ２  ＳＥＴＵＰ  ＲＥＱＵＥＳＴメッセージに、上述した最適セルリストを載せるべき旨の情報を載せる。基地局２は、これを受信すると、同意する場合には、Ｘ２  ＳＥＴＵＰ  ＲＥＳＰＯＮＳＥに、最適セルリストを載せることに同意する旨の情報を載せる。同意しない場合には、Ｘ２  ＳＥＴＵＰ  ＲＥＳＰＯＮＳＥに、最適セルリストの載せを同意しない旨の情報を載せる。
或いは、基地局１は、ＭＯＢＩＬＩＴＹ  ＣＨＡＮＧＥ  ＲＥＱＵＥＳＴメッセージに、上述した最適セルリストを載せるべき旨の情報を載せる。基地局２は、これを受信すると、同意する場合には、ＭＯＢＩＬＩＴＹ  ＣＨＡＮＧＥ  ＡＣＫＮＯＷＬＥＤＧＥに、最適セルリストを載せることに同意する旨の情報を載せる。同意しない場合には、ＭＯＢＩＬＩＴＹ  ＣＨＡＮＧＥ  ＡＣＫＮＯＷＬＥＤＧＥまたはＭＯＢＩＬＩＴＹ  ＣＨＡＮＧＥ  ＦＡＩＬＵＲＥ（モビリティパラメータ変更の失敗メッセージ）に、最適セルリストを載せることに同意しない旨の情報を載せる。
基地局間での他のパラメータについての協議は、上述した過程を適用することができるため、説明を省略する。
【００４１】
Ｓ１インターフェースを介する場合には、最適セルリストを載せるべき旨の情報、又は新たに追加した最適セルリストを載せた要求メッセージは、Ｓ１  ＳＥＴＵＰ  ＲＥＱＵＥＳＴに載せることができる。
最適セルリストを載せることに同意するか否かの旨の情報、または新たに追加した最適セルリストを載せた応答・拒絶メッセージは、Ｓ１  ＳＥＴＵＰ  ＲＥＳＰＯＮＳＥに載せることができる。
協議の過程は、前記と同様である。
【００４２】
或いは、最適セルリストを載せるか否かは、ソース基地局により決定される。
例えば、必要に応じて切替すべき現在のＵＥの能力に基づいて決定される。搬送波集合をサポートしないＵＥの場合には、載せない。或いは、搬送波集合をサポートするが、現在は１つのセルのみを用いるＵＥの場合にも載せない。
【００４３】
ＵＥ１とＵＥ２には、通信中のＦ１のｃｅｌｌ１およびＦ２のｃｅｌｌ２が配置される。
ｃｅｌｌ１は、Ｐｃｅｌｌである。
ｃｅｌｌ２は、Ｓｃｅｌｌである。
また、基地局は、ＲＲＣ再配置コマンドにより、ＵＥ１とＵＥ２の双方に以下の測定タスクを配置する。
ＭＩＤ＝１、ＭＯ＝Ｆ１、ＲＣ＝Ａ２。
ＭＩＤ＝２、ＭＯ＝Ｆ２、ＲＣ＝Ａ２。
ＭＩＤ＝３、ＭＯ＝Ｆ１、ＲＣ＝Ａ３、所定のオフセットを３ｄＢとし、ＲＳＲＰとＲＳＲＱを報告する。
ＭＩＤ＝４、ＭＯ＝Ｆ２、ＲＣ＝Ａ６、所定のオフセットを０ｄＢとし、ＲＳＲＰとＲＳＲＱを報告する。
【００４４】
ＵＥ１は、点Ａに移動すると、ＭＩＤ＝４の測定報告を報告する。
報告されたセルのリストは、Ｃｅｌｌ４（ＲＳＲＰ＝４７，−９４ｄｂｍ、ＲＳＲＱ＝６，−１７ｄｂ）であり、Ｃｅｌｌ１の信号品質（ＲＳＲＰ＝４３，−９８ｄｂｍ、ＲＳＲＱ＝４，−１８ｄｂ）と、Ｃｅｌｌ２の信号品質（ＲＳＲＰ＝４０，−１０１ｄｂｍ、ＲＳＲＱ＝５，−１７.５ｄｂ）とが載せられている。
【００４５】
ＵＥ１は、さらにＭＩＤ＝３の測定報告を報告する。
報告されたセルのリストは、Ｃｅｌｌ３（ＲＳＲＰ＝４６，−９５ｄｂｍ、ＲＳＲＱ＝１２，−１４ｄｂ）であり、Ｃｅｌｌ１の信号品質（ＲＳＲＰ＝４１，−１００ｄｂｍ、ＲＳＲＱ＝４，−１８ｄｂ）と、Ｃｅｌｌ２の信号品質（ＲＳＲＰ＝３９，−１０２ｄｂｍ、ＲＳＲＱ＝５，−１７.５ｄｂ）とが載せられている。
【００４６】
基地局は、上述した測定報告に基づいてＵＥ１をＦ２のＣｅｌｌ４に切り替える（すなわち、ＰｃｅｌｌがＦ２のＣｅｌｌ４である）ことを決定し、最適セルリストを載せた切替要求メッセージを、Ｃｅｌｌ４の属する基地局２へ送信する。
最適セルリストの構成方式としては、以下のものがある。
【００４７】
[方式１]
Ｃｅｌｌ４は、ソースセルの選択による目標Ｐｃｅｌｌである。
現在の切替フローによると、このセルは、切替準備コマンドにより、目標基地局に通知されており、新たに追加される最適セルリストには載せない。
従って、最適セルリストには、Ｃｅｌｌ３のみがあり、Ｃｅｌｌ３のＲＳＲＰ及び/又はＲＳＰＱが含まれる。
目標基地局は、目標Ｐｃｅｌｌに近いＳｃｅｌｌを配置して「集合」を行う必要があるため、ソース基地局は、目標Ｐｃｅｌｌの信号品質であるＣｅｌｌ４のＲＳＲＰ及び/又はＲＳＰＱを、目標基地局に通知する必要がある。
詳細な構成方式は、以下の表１に示す。
【００４８】
【表１】
2013541286.tif 000003
【００４９】
最適セルのリストにおいて、セルは、搬送周波数およびＰＣＩ（Ｐｈｙｓｉｃａｌ  Ｃｅｌｌ  Ｉｎｄｅｎｔｉｔｙ）により、標識することができる。
また、各測定タスク識別子は、１つの測定対象に対応し、実際には搬送周波数情報を含むため、測定タスク識別子およびＰＣＩにより、セルを標識してもよい。
【００５０】
[方式２]
Ｃｅｌｌ４は、ソースセルが選択した目標Ｐｃｅｌｌである。
現在の切替フローによると、このセルは、切替準備コマンドにより、目標基地局に通知されている。
このセルの信号品質を目標基地局に通知する必要があるため、シグナリング形式が簡単で一致するように、このセルが、新たに追加される最適セルリストに含まれる。
従って、最適セルリストには、Ｃｅｌｌ４とＣｅｌｌ３とがあり、Ｃｅｌｌ４とＣｅｌｌ３のＲＳＲＰ及び/又はＲＳＰＱ（本実施例ではＲＳＲＰ及びＲＳＰＱ）が含まれる。
セルは、所定のＲＳＲＰまたはＲＳＲＱ、本実施例ではＲＳＲＰに基づいて順序付けられる。
詳細な構成方式は、以下の表２に示す。
【００５１】
【表２】
2013541286.tif 000004
【００５２】
なお、上述した方法は、ソース主サービスセルおよびソース副サービスセルにも適用する。
ソース主サービスセルおよびソース副サービスセルの信号品質を、測定報告毎に載せる。
ソース主サービスセルの信号品質が当該周波数において一番優れている場合、最適セルリストに含まれる当該周波数の最適セルはソース主サービスセルである。勿論、この場合に、ソース基地局は、通常、切替を決定することはない。切替を決定したとしても、負荷などが原因となる。
ソース副サービスセルの信号品質が当該周波数において一番優れている場合、最適セルリストに含まれる当該周波数の最適セルはソース副サービスセルである。
本実施例においては、ソース主サービスセルもソース副サービスセルも、各々が存在する周波数において最適なものではないため、最適セルリストに現れない。
【００５３】
本実施例によれば、他の切替情報の通知方法も提供される。
図７は、本発明の実施例に係る他の切替情報の通知方法の流れ図である。
この方法は、
ソース基地局が、基準信号受信電力（ＲＳＲＰ）および基準信号受信品質（ＲＳＲＱ）のいずれかを含む所定の信号品質に基づいて、最適セルリストのセルを順序付けるステップＳ７０２と、
ソース基地局が、最適セルリストを目標基地局に通知するステップＳ７０４と、を含む。
【００５４】
以上の過程により、目標基地局が取得した最適セルリストは、順序付けられたリストである。
これにより、目標基地局は、副サービスセルを容易に選択することができ、副サービスセルを選択するための処理時間が省かれる。
【００５５】
信号品質の近い搬送波を「集合」する場合に一番優れた効果となるため、切替時間による遅延を少なくするためには、最適セルリストにおけるセルは、
候補となる副サービスセルの所定の信号品質
≧  （ソース基地局により決定された目標主サービスセルの所定の信号品質−所定のオフセット）
を含む、所定の条件を満たすものとする。
この方法では、候補となる副サービスセルは、信号品質が、候補となる主サービスセルの信号品質から所定のオフセットを差し引いた値より高い場合に限り、セルリストに追加され、目標側へ伝送される。
これにより、切替時間による遅延が少なくなる。
【００５６】
候補となる主サービスセルが複数ある場合に、候補となる主サービスセルのいずれか、最適または最悪のもの、または全部を基準とする（すなわち、候補となる副サービスセルは、信号品質が、いずれかの候補となる主サービスセルの信号品質から所定のオフセットを差し引いた値より高いのであれば、セルリストに追加する）ことができる。
すなわち、ソース基地局により決定された目標主サービスセルが複数ある場合、比較用の基準セルの所定の条件は、
候補となる副サービスセルの所定の信号品質
≧  （複数の目標主サービスセルのうち、所定の信号品質が一番良い目標主サービスセル、所定の信号品質が一番悪い目標主サービスセル、いずれかの目標主サービスセルの１つを含む所定の目標主サービスセルの所定の信号品質−所定のオフセット）
を含む。
【００５７】
最適セルリストの配置情報は、プロトコルにより指定されることが好ましい。
これにより、全ての基地局は、統一的な配置パラメータを用いるため、実現が容易となり、協議処理を省ける。
また、最適セルリストの配置情報は、ソース基地局と目標基地局とが協議して決定されてもよい。
配置情報は、所定のオフセット、所定の信号品質、最適セルリストに含まれるセルの最大数の少なくとも１つを含む。
ソース基地局は、当該配置情報に基づいて最適セルリストの配置を行うことができる。
最適セルリストのセルの数を制御することにより、シグナリングオーバーヘッド（ｓｉｇｎａｌｉｎｇ  ｏｖｅｒｈｅａｄ）を最小限まで削減できる。
【００５８】
ソース基地局と目標基地局による配置情報の協議は、
（１）  Ｓ１インターフェースまたはＸ２インターフェースのセットアップにおいて、ソース基地局および目標基地局のうちの一方が、セットアップ要求に自己の配置情報を載せて他方へ送信し、他方がセットアップ応答に自己の配置情報を載せて返信することと、
（２）  ソース基地局および目標基地局のうちの一方が、モビリティパラメータ変更要求メッセージにより配置情報を他方へ通知し、他方が、配置情報に同意する場合には、同意を示す情報を載せたメッセージ、またはなんらの情報を載せないモビリティパラメータ変更応答メッセージを返信し、配置情報に同意しない場合には、自己の配置情報を載せたモビリティパラメータ変更応答メッセージ、またはモビリティパラメータ変更失敗メッセージを返信すること、
とのいずれかにより行われることが好ましい。
【００５９】
ソース基地局が所定の信号品質に基づいて最適セルリストにおけるセルを順序付ける前に、
ソース基地局と目標基地局とが、最適セルリストを伝送するか否かを協議するか、または、ソース基地局が、現在切り替えられようとしている端末が搬送波集合をサポートするか、若しくは現在切り替えられようとしている端末が動作するセルが１つしかないかに基づいて、最適セルリストを伝送するか否かを決定し、
最適セルリストを伝送する場合には、後続処理を続行し、
伝送しない場合には、処理を終了することが好ましい。
【００６０】
ある周波数の最適セルに所定の信号品質の測定結果がない場合、最適セルの最適セルリストへの追加を取り消すか、または最適セルを最適セルリストの最後に追加することが好ましい。
【００６１】
上述した比較される信号品質は、基地局間での協議において例えばＲＳＲＰ又はＲＳＲＱに基づいて決定されるか、またはプロトコルにより指定されることが好ましい。
【００６２】
図８は、本発明の実施例による他の基地局の構成を示すブロック図である。
この基地局は、
ＲＳＲＰおよびＲＳＲＱのいずれかを含む所定の信号品質に基づいて最適セルリストのセルを順序付けるように配置された順序付けモジュール８２と、
順序付けモジュール８２に結合され、最適セルリストを目標基地局へ通知するように配置された通知モジュール８４と、を備える。
【００６３】
以下に説明する実施例２は、上述した複数の好適な実施例の技術的思想を組み合わせたものである。
以下の実施例では、Ｘ２インターフェースでの切替の様子を例として説明するが、Ｓ１インターフェースでの切替の様子は、これと類似しているため、説明を省略する。
【００６４】
[実施例２]
まず、基地局１と基地局３とは、切替準備コマンドを用いて最適セルリストを伝送する必要があることを、協議により決定する。
基地局１は、以下の過程により協議を提起する（基地局３が提起する場合は、これと類似しているため、説明を省略する）。
基地局１は、基地局１へ送信する切替準備コマンドに最適セルリストを載せる必要がある場合、この旨を、新たに追加した最適セルリストを載せた要求メッセージにより、基地局３へ送信する。基地局３は、これを受信すると、同意する場合には、新たに追加した最適セルリストが載せられた応答メッセージを、基地局１へ送信する。同意しない場合には、新たに追加した最適セルリストが載せられた拒絶メッセージを、基地局１へ送信する。
或いは、基地局１は、Ｘ２  ＳＥＴＵＰ  ＲＥＱＵＥＳＴメッセージに、上述した最適セルリストを載せるべき旨の情報を載せる。基地局３は、これを受信すると、同意する場合には、Ｘ２  ＳＥＴＵＰ  ＲＥＳＰＯＮＳＥに、最適セルリストを載せることに同意する旨の情報を載せる。同意しない場合には、Ｘ２  ＳＥＴＵＰ  ＲＥＳＰＯＮＳＥに、最適セルリストを載せることに同意しない旨の情報を載せる。
或いは、基地局１は、ＭＯＢＩＬＩＴＹ  ＣＨＡＮＧＥ  ＲＥＱＵＥＳＴメッセージに、上述した最適セルリストを載せるべき旨の情報を載せる。基地局３は、これを受信すると、同意する場合には、ＭＯＢＩＬＩＴＹ  ＣＨＡＮＧＥ  ＡＣＫＮＯＷＬＥＤＧＥに、最適セルリストを載せることに同意する旨の情報を載せる。同意しない場合は、ＭＯＢＩＬＩＴＹ  ＣＨＡＮＧＥ  ＡＣＫＮＯＷＬＥＤＧＥまたはＭＯＢＩＬＩＴＹ  ＣＨＡＮＧＥ  ＦＡＩＬＵＲＥに、最適セルリストを載せることに同意しない旨の情報を載せる。
基地局間での他のパラメータについての協議は、上述した過程を適用することができるため、説明を省略する。
【００６５】
Ｓ１インターフェースを介する場合には、最適セルリストを載せるべき旨の情報、または新たに追加した最適セルリストを載せる要求メッセージは、Ｓ１  ＳＥＴＵＰ  ＲＥＱＵＥＳＴに載せる。
最適セルリストを載せることに同意するか否かの旨の情報、または新たに追加した最適セルリストを載せる応答／拒絶メッセージは、Ｓ１  ＳＥＴＵＰ  ＲＥＳＰＯＮＳＥに載せる。
その過程は、前記と同様である。
【００６６】
或いは、最適セルリストを載せるか否かは、ソース基地局により決定される。
例えば、必要に応じて切替すべき現在のＵＥの能力に基づいて決定される。
搬送波集合をサポートしないＵＥの場合、載せない。
或いは、搬送波集合をサポートしても、現在は１つのセルのみを用いるＵＥの場合にも、載せない。
【００６７】
基地局１と基地局３とは、候補となる副サービスセルが、信号品質が候補となる主サービスセルの信号品質から３ｄＢを差し引いた値より高い場合のみ、セルリストに追加されて目標側へ伝送されることを、協議により決定する。
この３ｄＢの所定のオフセットは、プロトコルにより指定されてもよい。
また、基地局１と基地局３とは、伝送される最適セルリストをＲＳＲＰに基づいて順序付けることを協議により決定する同時に、リストにある各セルのＲＳＲＰおよびＲＳＲＱの値を伝送する。
上述したＲＳＲＰに基づく順序付けは、プロトコルにより指定されてもよい。
【００６８】
また、最適セルの選択は、順序付けられる信号品質に基づいて行われる。
上述した例では、ＲＳＲＰに基づいて順序付けることが決定されているため、ＲＳＲＰに基づいて最適セルを選択する。
ある周波数のセルの測定結果にはＲＳＲＱのみが含まれる場合、ＲＳＲＰが空白になり、当該周波数においては、ＲＳＲＰの一番良いセルがない。
これにより、当該周波数のセルを伝送する必要がなくなるか、当該周波数の最適セルが基地局により選択されて最適セルリストの最後に配列される。
例えば、上述した例では、さらに以下の測定タスクがある。
ＭＩＤ＝５、ＭＯ＝Ｆ３、ＲＣ＝Ａ３、所定のオフセットを０ｄＢとし、ＲＳＲＰを報告する。
【００６９】
これにより、Ｆ３には、ＲＳＲＰの一番良いセルがないため、Ｆ３でのセルを伝送する必要がなくなるか、Ｆ３の最適セルがリストの最後に配列される。
【００７０】
上述した所定のオフセットおよび順序付けられる信号品質は、基地局毎に異なってもよい。
例えば、基地局１に必要な所定のオフセットが２ｄＢであり、順序付けられる信号品質がＲＳＲＱであり、基地局３に必要な所定のオフセットが３ｄＢであり、順序付けられる信号品質がＲＳＲＰであるとする。
これらの情報は、基地局１と基地局３との間にＸ２インターフェースがセットアップされるときに、相手側へ伝送することができる。
例えば、図３において、基地局１は、Ｘ２インターフェースのセットアップを要求するときに、Ｘ２  ＳＥＴＵＰ  ＲＥＱＵＥＳＴに基地局１の要求を載せ、基地局３へ送信する。
基地局３は、Ｘ２  ＳＥＴＵＰ  ＲＥＳＰＯＮＳＥに基地局３の要求を載せて（Ｘ２インターフェースがない場合、Ｓ１インターフェースのセットアップ時のＳ１  ＳＥＴＵＰ  ＲＥＱＵＥＳＴとＳＩ  ＳＥＴＵＰ  ＲＥＳＰＯＮＳＥとにより送信する）、基地局１へ伝送する。
すると、基地局３から基地局１への切替準備コマンドにおける最適セルリストは、所定のオフセットが２ｄＢ、順序付けられる信号品質がＲＳＲＱであるように構成される。
これに対して、基地局１から基地局３への切替準備コマンドにおける最適セルリストは、所定のオフセットが３ｄＢ、順序付けられる信号品質がＲＳＲＰであるように構成される。
基地局間での他のパラメータの通知は、上述した過程を適用することができる。
【００７１】
図６に示すように、ＵＥ２は、点Ｂに移動すると、ＭＩＤ＝４の測定報告を報告する。
報告されたセルリストは、Ｃｅｌｌ６（ＲＳＲＰ＝４２，−９９ｄｂｍ、ＲＳＲＱ＝８，−１６ｄｂ）と、Ｃｅｌｌ４（ＲＳＲＰ＝４１，−１００ｄｂｍ、ＲＳＲＱ＝５，−１７.５ｄｂ）とであり、Ｃｅｌｌ１の信号品質（ＲＳＲＰ＝４３，−９８ｄｂｍ、ＲＳＲＱ＝４，−１８ｄｂ）と、Ｃｅｌｌ２の信号品質（ＲＳＲＰ＝４０，−１０１ｄｂｍ、ＲＳＲＱ＝５，−１７.５ｄｂ）とが載せられる。
【００７２】
ＵＥ２は、さらにＭＩＤ＝３の測定報告を報告する。
報告されたセルリストは、Ｃｅｌｌ５（ＲＳＲＰ＝４７，−９４ｄｂｍ、ＲＳＲＱ＝１０，−１５ｄｂ）と、Ｃｅｌｌ３（ＲＳＲＰ＝４５，−９６ｄｂｍ、ＲＳＲＱ＝８，−１６ｄｂ）とであり、Ｃｅｌｌ１の信号品質（ＲＳＲＰ＝４１，−１００ｄｂｍ、ＲＳＲＱ＝４，−１８ｄｂ）と、Ｃｅｌｌ２の信号品質（ＲＳＲＰ＝３９，−１０２ｄｂｍ、ＲＳＲＱ＝５，−１７.５ｄｂ）とが載せられる。
【００７３】
基地局は、上述した測定報告に基づいて、ＵＥ２をＦ１でのＣｅｌｌ５に切り替える（すなわち、ＰｃｅｌｌがＦ１でのＣｅｌｌ５である）ことを決定し、切替要求メッセージに、ＲＳＲＰが−９４ｄｂｍであるＣｅｌｌ５と、ＲＳＲＰが-９９ｄｂｍであるＣｅｌｌ６とをＲＳＲＰに基づいて順序付けた最適セルリストを載せ、Ｃｅｌｌ５の属する基地局３へ送信する。
最適セルリストは、上述した方式１で構成されている場合には空白となり、上述した方式２で構成されている場合にはＣｅｌｌ５を含む。
【００７４】
また、異なる通信事業者の要求を満たすためには、すなわち基地局１と基地局３とが異なる通信事業者に属する場合には、通信事業者は、最適セルリストに含まれるセルの最大数について協議を行うことにより、最適セルリストの伝送要否および測定結果を制限することができる。
例えば、基地局１は、ＭＯＢＩＬＩＴＹ  ＣＨＡＮＧＥ  ＲＥＱＵＥＳＴに、セル最大数、例えば３を載せて、基地局３へ送信する。
基地局３は、同意する場合には、ＭＯＢＩＬＩＴＹ  ＣＨＡＮＧＥ  ＡＣＫＮＯＷＬＥＤＧＥに、なんらの情報も載せずに、または同意することを載せて、基地局１へ返信する。
基地局１と基地局３とは、当該セル最大数、この例では３を、最終的な結果として用いる。
基地局３は、同意しない場合には、ＭＯＢＩＬＩＴＹ  ＣＨＡＮＧＥ  ＡＣＫＮＯＷＬＥＤＧＥに、所望のセル最大数、例えば２を載せて、基地局１に返信する。
基地局１と基地局３とは、これら２つのセル最大数のうちの小さい方の値、この例では２を、最終的な結果として用いる。勿論、最適セルリストのセル数は、プロトコルにより約定してもよい。
【００７５】
上述した最適セルリストのセル数は、基地局毎に異なってもよい。
例えば、基地局１に必要な最適セルリストのセル数を２とし、基地局３に必要な最適セルリストのセル数を３とする。
これらの情報は、基地局１と基地局３の間にＸ２インターフェースをセットアップするときに、相手側へ伝送される（Ｘ２インターフェースがない場合、Ｓ１インターフェースのセットアップ時に伝送される）ことができる。
これにより、基地局３から基地局１への切替準備コマンドにおける最適セルリストには、多くとも２つのセルが含まれる。
基地局１から基地局３への切替準備コマンドにおける最適セルリストには、多くとも３つのセルが含まれる。
【００７６】
なお、以上の実施例で示した２つの切替情報の通知方法は、互いに独立した方法であるが、互いに組み合わせてもよい。
すなわち、目標主サービスセルの信号品質を通知すると共に、通知される候補となる副サービスセルが所定の要求を満たすように制御することができる。
これにより、副サービスセルの決定精度をさらに向上させ、切替時間による遅延を少なくすることができる。
【００７７】
上述したように、本発明の実施例においては、搬送波集合の切替過程において、ソース基地局が目標基地局へ最適セルリストを伝送する構成が詳細に示されているので、目標側は、伝送された情報に基づいて副サービスセルを有効的に選択し、遅延時間を減少できる。
【００７８】
なお、図面の流れ図に示したステップは、コンピュータシステムのコンピュータが実行可能な１組の命令として実行されてもよい。
そして、流れ図には、その論理的手順が示されているが、一部の場合には、ここで示された又は説明されたステップをこの手順と異なる順に実行してもよい。
【００７９】
なお、勿論、上述した本発明の各モジュールまたはステップは、汎用のコンピュータ装置により実現することができ、単一のコンピュータ装置に集中して配置されてもよく、ネットワーク化された複数のコンピュータ装置に配置されてもよい。
また、コンピュータ装置が実行可能なプログラムコードにより実現されてもよい。
これにより、記憶装置に記憶されてコンピュータ装置により実行されるか、それぞれを各々の集積回路モジュールに作成するか、それらの中の複数のモジュールまたはステップを単一の集積回路モジュールに作成することにより実現することができる。
このように、本発明は、いずれの特定のハードウェアとソフトウェアの組み合わせにも限定されない。
【００８０】
以上は、本発明の好適な実施例に過ぎず、本発明を限定するものではない。当業者であれば本発明に様々な修正や変形が可能である。
本発明の要旨や原則内での如何なる修正、置換、改良などは、本発明の保護範囲内に含まれる。
【図１】
2013541286.tif 000005
【図２】
2013541286.tif 000006
【図３】
2013541286.tif 000007
【図４】
2013541286.tif 000008
【図５】
2013541286.tif 000009
【図６】
2013541286.tif 000010
【図７】
2013541286.tif 000011
【図８】
2013541286.tif 000012
【国際調査報告】
2013541286.tif 000013
2013541286.tif 000014
2013541286.tif 000015
2013541286.tif 000016
2013541286.tif 000017
2013541286.tif 000018
2013541286.tif 000019